【手続補正書】
【提出日】平成22年8月30日(2010.8.30)
【手続補正１】
【補正対象書類名】特許請求の範囲
【補正対象項目名】全文
【補正方法】変更
【補正の内容】
【特許請求の範囲】
【請求項１】
タッチセンシティブ・ディスプレイと、
１つ又はそれ以上のプロセッサと、
メモリと、
前記メモリに格納され、前記１つ又はそれ以上のプロセッサによって実行されるように構成され、かつ、
前記タッチセンシティブ・ディスプレイ上の第１の領域内に第１の複数のアイコンを表示するための命令と、
所定のユーザ・インターフェース再構成プロセスを開始するために、前記タッチセンシティブ・ディスプレイに対する第１の所定のユーザ・アクションを検知するための命令と、
前記第１の所定のユーザ・アクションの検知に応答して、前記第１の複数のアイコンの多数のアイコンの位置を変化させるための命令と、
を含む１つ又はそれ以上のプログラムと、
を備え、前記変化させることは、前記多数のアイコンの各アイコンの前記位置を、該多数のアイコンの他のアイコンのそれぞれの平均的位置とは異なるそれぞれの平均的位置を中心として変化させることを含み、それぞれのアイコンの各々は、実質的に前記それぞれのアイコンの前記それぞれの平均的位置を中心とした領域内で振動することを特徴とする携帯用電子装置。
【請求項２】
ユーザが、前記多数のアイコン内の第１のアイコンに対応する第１の位置に前記タッチセンシティブ・ディスプレイとの接触点を形成するのを検知するための命令、及び、前記接触点が、該タッチセンシティブ・ディスプレイの第２の位置に移動するのを検知するための命令と、
前記接触点の検知及び該接触点の移動の検知に応答して、前記タッチセンシティブ・ディスプレイの前記第２の位置への前記第１のアイコンの移動を表示し、該第１のアイコンを該第２の位置に表示するための命令と、
をさらに含むことを特徴とする、請求項１に記載の装置。
【請求項３】
前記所定のユーザ・インターフェース再構成プロセスを終了するために、前記タッチセンシティブ・ディスプレイに対する第２の所定のユーザ・アクションの検知に応答して、前記第１のアイコンの位置を前記第２の位置に固定するための命令をさらに含むことを特徴とする、請求項２に記載の装置。
【請求項４】
前記第１のアイコンの前記第２の位置が第２のアイコンのそれぞれの初期位置と少なくとも部分的に重なるとき、前記多数のアイコン内の第２のアイコンを、前記それぞれの初期位置からそれぞれの新しい位置に移動させるための命令をさらに含むことを特徴とする、請求項２に記載の装置。
【請求項５】
ユーザが、前記多数のアイコン内の第１のアイコンに対応する第１の位置に前記タッチセンシティブ・ディスプレイとの第１の接触点を形成するのを検知するための命令、及び、前記第１の接触点が、該タッチセンシティブ・ディスプレイ上の第２の領域内の第２の位置に移動するのを検知するための命令と、
前記第１の接触点の検知及び該第１の接触点の移動を検知することに応答して、前記タッチセンシティブ・ディスプレイの前記第２の位置への前記第１のアイコンの移動を表示し、該第１のアイコンを該第２の位置に表示するための命令と、
をさらに含むことを特徴とする、請求項１に記載の装置。
【請求項６】
タッチセンシティブ・ディスプレイを有する携帯用電子装置によって実行されるとき、前記装置に、
前記タッチセンシティブ・ディスプレイの第１の領域内に第１の複数のアイコンを表示させ、
所定のユーザ・インターフェース再構成プロセスを開始するために、前記タッチセンシティブ・ディスプレイに対する第１の所定のユーザ・アクションを検知させ、
前記第１の所定のユーザ・アクションの検知に応答して、前記第１の複数のアイコンの多数のアイコンの位置を変化させる、
１つ又はそれ以上のプロセッサにより実行するように構成された命令を有し、前記変化させることは、前記多数のアイコンの各アイコンの前記位置を、該多数のアイコンの他のアイコンのそれぞれの平均的位置とは異なるそれぞれの平均的位置を中心として変化させることを含み、それぞれのアイコンの各々は、実質的に前記それぞれのアイコンの前記それぞれの平均的位置を中心とした領域内で振動することを特徴とするコンピュータ・プログラム。
【請求項７】
前記タッチセンシティブ・ディスプレイを有する前記電子装置によって実行されるとき、前記装置に、
ユーザが、前記多数のアイコン内の第１のアイコンに対応する第１の位置に前記タッチセンシティブ・ディスプレイとの接触点を形成するのを検知させ、前記接触点が、該タッチセンシティブ・ディスプレイの第２の位置に移動するのを検知させ、
前記接触点の検知及び該接触点の移動の検知に応答して、前記タッチセンシティブ・ディスプレイの前記第２の位置への前記第１のアイコンの移動を表示させ、該第１のアイコンを該第２の位置に表示させる、
前記１つ又はそれ以上のプロセッサにより実行するように構成された命令をさらに含むことを特徴とする、請求項６に記載のコンピュータ・プログラム。
【請求項８】
前記タッチセンシティブ・ディスプレイを有する前記電子装置によって実行されるとき、前記装置に、
前記所定のユーザ・インターフェース再構成プロセスを終了するために、前記タッチセンシティブ・ディスプレイに対する第２の所定のユーザ・アクションの検知に応答して、前記第１のアイコンの位置を前記第２の位置に固定させる、
前記１つ又はそれ以上のプロセッサにより実行するように構成された命令をさらに含むことを特徴とする、請求項７に記載のコンピュータ・プログラム。
【請求項９】
前記タッチセンシティブ・ディスプレイを有する前記電子装置によって実行されるとき、前記装置に、
前記第１のアイコンの前記第２の位置が該第２のアイコンのそれぞれの初期位置と少なくとも部分的に重なるとき、前記多数のアイコン内の第２のアイコンを、前記それぞれの初期位置からそれぞれの新しい位置に移動させる、
前記１つ又はそれ以上のプロセッサにより実行するように構成された命令をさらに含むことを特徴とする、請求項７に記載のコンピュータ・プログラム。
【請求項１０】
前記タッチセンシティブ・ディスプレイを有する前記電子装置によって実行されるとき、前記装置に、
ユーザが、前記多数のアイコン内の第１のアイコンに対応する第１の位置に前記タッチセンシティブ・ディスプレイとの第１の接触点を形成するのを検知させ、前記第１の接触点が、該タッチセンシティブ・ディスプレイ上の第２の領域内の第２の位置に移動するのを検知させ、
前記第１の接触点の検知及び該第１の接触点の移動の検知に応答して、前記タッチセンシティブ・ディスプレイの前記第２の位置への前記第１のアイコンの移動を表示し、該第１のアイコンを該第２の位置に表示させる、
前記１つ又はそれ以上のプロセッサにより実行するように構成された命令をさらに含むことを特徴とする、請求項６にコンピュータ・プログラム。
【請求項１１】
タッチセンシティブ・ディスプレイを有する携帯用電子装置において、
前記タッチセンシティブ・スクリーン上の第１の領域内に第１の複数のアイコンを表示し、
所定のユーザ・インターフェース再構成プロセスを開始するために、前記タッチセンシティブ・ディスプレイに対する第１の所定のユーザ・アクションを検知し、
前記第１の所定のユーザ・アクションの検知に応答して、前記第１の複数のアイコンの多数のアイコンの位置を変化させる、
ことを含み、前記変化させることは、前記多数のアイコンの各アイコンの前記位置を、該多数のアイコンの他のアイコンのそれぞれの平均的位置とは異なるそれぞれの平均的位置を中心として変化させることを含み、それぞれのアイコンの各々は、実質的に前記それぞれのアイコンの前記それぞれの平均的位置を中心とした領域内で振動することを特徴とする、コンピュータにより実施される方法。
【請求項１２】
ユーザが、前記多数のアイコン内の第１のアイコンに対応する第１の位置に前記タッチセンシティブ・ディスプレイとの第１の接触点を形成するのを検知し、前記接触点が、該タッチセンシティブ・ディスプレイの第２の位置に移動するのを検知し、
前記接触点の検知及び該接触点の移動の検知に応答して、前記タッチセンシティブ・ディスプレイの前記第２の位置への前記第１のアイコンの移動を表示し、該第１のアイコンを該第２の位置に表示する、
ことをさらに含むことを特徴とする、請求項１１に記載のコンピュータにより実施される方法。
【請求項１３】
前記所定のユーザ・インターフェース再構成プロセスを終了するために、前記タッチセンシティブ・ディスプレイに対する第２の所定のユーザ・アクションの検知に応答して、前記第１のアイコンの位置を前記第２の位置に固定することをさらに含むことを特徴とする、請求項１２に記載のコンピュータにより実施される方法。
【請求項１４】
前記第１のアイコンの前記第２の位置が該第２のアイコンのそれぞれの初期位置と少なくとも部分的に重なるとき、前記多数のアイコン内の第２のアイコンを、前記それぞれの初期位置からそれぞれの新しい位置に移動させることをさらに含むことを特徴とする、請求項１２に記載のコンピュータにより実施される方法。
【請求項１５】
ユーザが、前記多数のアイコン内の第１のアイコンに対応する第１の位置に前記タッチセンシティブ・ディスプレイとの第１の接触点を形成するのを検知し、前記第１の接触点が、該タッチセンシティブ・ディスプレイ上の第２の領域内の第２の位置に移動するのを検知し、
前記第１の接触点の検知及び該第１の接触点の移動の検知に応答して、前記タッチセンシティブ・ディスプレイの前記第２の位置への前記第１のアイコンの移動を表示し、該第１のアイコンを該第２の位置に表示する、
ことをさらに含むことを特徴とする、請求項１１に記載のコンピュータにより実施される方法。
【請求項１６】
前記ユーザ・インターフェース再構成プロセスは、表示されたグラフィカル・オブジェクトをユーザが再配置することを可能にする、通常動作モードとは異なる、インターフェース再構成モードで起こることを特徴とする、請求項１に記載の装置。
【請求項１７】
前記ユーザ・インターフェース再構成プロセスは、表示されたグラフィカル・オブジェクトをユーザが再配置することを可能にする、通常動作モードとは異なる、インターフェース再構成モードで起こることを特徴とする、請求項６に記載のコンピュータ・プログラム。
【請求項１８】
前記ユーザ・インターフェース再構成プロセスは、表示されたグラフィカル・オブジェクトをユーザが再配置することを可能にする、通常動作モードとは異なる、インターフェース再構成モードで起こることを特徴とする、請求項１１に記載のコンピュータにより実施される方法。